(57)【要約】【課題】単一のカバーであっても配光を制御可能な照明器具を提供する。【解決手段】照明器具１００は、長尺状の基板２１と、基板２１の長手方向に沿って基板２１に実装された複数の光源２２と、基板２１に対向し、複数の光源２２から発せられた光を透過する長尺状のカバー３０と、基板２１及びカバー３０の一方を他方に対して接離自在とし、光源２２とカバー３０の内面とがなす、光源２２の光軸に沿う間隔Ｓ１、Ｓ２、Ｓ３を調整するための調整部６０とを備えている。【選択図】図３
2020068138.tif 000002
【特許請求の範囲】
【請求項１】
長尺状の基板と、
前記基板の長手方向に沿って前記基板に実装された複数の光源と、
前記基板に対向し、前記複数の光源から発せられた光を透過する長尺状のカバーと、
前記基板及び前記カバーの一方を他方に対して接離自在とし、前記光源と前記カバーの内面とがなす、前記光源の光軸に沿う間隔を調整するための調整部とを備える
照明器具。
【請求項２】
前記カバーは、円筒状であり、当該カバーの両端部のそれぞれに口金が取り付けられており、
前記基板及び複数の光源は、前記カバーの中空部内に配置されている
請求項１に記載の照明器具。
【請求項３】
前記調整部は、前記口金に設けられている
請求項２に記載の照明器具。
【請求項４】
前記調整部は、
前記基板を支持するための複数の支持梁であって、前記光源の光軸に沿って所定の間隔をあけて配列された複数の支持梁を備える
請求項１〜３のいずれか一項に記載の照明器具。
【請求項５】
前記調整部は、
前記基板を支持し、前記光源の光軸に沿う位置が変動自在な支持台と、
前記支持台の変動を規制する規制部とを備える
請求項１〜３のいずれか一項に記載の照明器具。
【発明の詳細な説明】
【技術分野】
【０００１】
本発明は、照明器具に関する。
【背景技術】
【０００２】
例えば、長尺な基板と、当該基板に対して長手方向に沿って並ぶように実装された複数の発光素子と、基板及び複数の発光素子を覆う透光性のカバーとを備えた照明器具が知られている（例えば特許文献１参照）。
【先行技術文献】
【特許文献】
【０００３】
【特許文献１】特開２０１５−１６２４４７号公報
【発明の概要】
【発明が解決しようとする課題】
【０００４】
ところで、照明器具の配光を任意の配光にするためには、拡散性或いは集光性の異なる複数種類のカバーから、照明器具の組立時に作業者が適切な種類のカバーを選択して、当該カバーを取り付ける必要がある。このため、複数種類のカバーを予め準備しておかなければならず、非効率である。
【０００５】
このため、本発明の目的は、単一のカバーであっても配光を制御可能な照明器具を提供することである。
【課題を解決するための手段】
【０００６】
本発明の一態様に係る照明器具は、長尺状の基板と、基板の長手方向に沿って基板に実装された複数の光源と、基板に対向し、複数の光源から発せられた光を透過する長尺状のカバーと、基板及びカバーの一方を他方に対して接離自在とし、光源とカバーの内面とがなす、光源の光軸に沿う間隔を調整するための調整部とを備える。
【発明の効果】
【０００７】
本発明に係る照明器具によれば、単一のカバーであっても配光を制御することができる。
【図面の簡単な説明】
【０００８】
【図１】図１は、実施の形態１に係る照明装置の構成を示す外観斜視図である。
【図２】図２は、実施の形態１に係る光源装置の外観斜視図である。
【図３】図３は、実施の形態１に係る光源装置の断面図である。
【図４】図４は、実施の形態１の変形例に係る調整部の概略構成を示す斜視図である。
【図５】図５は、実施の形態２に係る照明器具の概略構成を示す斜視図である。
【図６】図６は、実施の形態２に係る照明器具の分解斜視図である。
【図７】図７は、実施の形態２に係る照明器具の断面図である。
【図８】図８は、実施の形態２の変形例に係る照明器具の概略構成を示す断面図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１０】
［実施の形態１］
以下、実施の形態１に係る照明装置について説明する。図１は、実施の形態１に係る照明器具１００の構成を示す外観斜視図である。
【００１１】
図１に示すように、照明器具１００は、２つの光源装置１０と、本体部１１０とを備えている。
【００１２】
本体部１１０は、天井に固定具によって取り付けられる。本体部１１０は、光源装置１０と電気的に接続され、かつ、各々に光源装置１０が取り付けられる２組のソケット１２０を備えている。本体部１１０は、例えば鋼板をプレス加工等することによって形成することができる。また、本体部１１０の外面は、光源装置１０が発した光を室内に向けて反射させる反射面となっている。
【００１３】
次に、光源装置１０の構成について説明する。図２は、実施の形態１に係る光源装置１０の外観斜視図である。図３は、実施の形態１に係る光源装置１０の断面図である。具体的には、図３は、図２におけるＩＩＩ−ＩＩＩ線を含む切断面を見た断面図である。
【００１４】
図２及び図３に示すように、光源装置１０は、直管形蛍光灯の代替照明として使用される直管ＬＥＤランプである。光源装置１０は、発光装置２０と、カバー３０と、第一口金５１と、第二口金５２と、調整部６０とを備える。以下、各構成要素について詳細に説明する。
【００１５】
まず、カバー３０について説明する。カバー３０は、発光装置２０の少なくとも光出射側を覆う、透光性を有するカバーである。カバー３０は、Ｙ軸方向を長さ方向（長手方向）とする長尺円筒状であり、発光装置２０を収容する筐体としても機能する。このため、カバー３０は、発光装置２０から発せられた光を透過する。また、カバー３０は、光源装置１０の外郭の一部を構成している。
【００１６】
カバー３０の基材は、例えば、ガラスであるが、ポリカーボネートなどの樹脂材料であってもよい。カバー３０は、非分割型であるが、分割型であってもよい。カバー３０は、発光装置２０からの光を拡散させるための光拡散機能を有してもよい。これにより、発光装置２０から発せられた光は、カバー３０を通過する際に拡散されるため、光源装置１０の明るさの均一化が実現される。
【００１７】
例えば、カバー３０の内面及び外面の少なくとも一方には、光拡散膜が形成されてもよい。光拡散膜は、具体的には、シリカまたは炭酸カルシウム等の光拡散材（微粒子）を含有する乳白色の樹脂材料である。また、カバー３０の内部及び外部の少なくとも一方には、光を拡散するためのレンズ構造が設けられてもよいし、光を拡散するための凹凸構造が設けられてもよいし、光を拡散するためのドットパターンが印刷されてもよい。また、カバー３０の基材に、光拡散材が含まれてもよい。
【００１８】
次に、第一口金５１及び第二口金５２について説明する。第一口金５１及び第二口金５２は、光源装置１０がソケット１２０を介して給電を受けるために、ソケット１２０に着脱自在に取り付けられる構造体である。第一口金５１及び第二口金５２のそれぞれは、例えば、絶縁性を有する樹脂によって形成される。第一口金５１及び第二口金５２のそれぞれは、略有底円筒形状（キャップ状）であり、第一口金５１は、カバー３０の一方の端部（Ｙ軸プラス側の端部）を覆い、第二口金５２は、カバー３０の他方の端部（Ｙ軸マイナス側の端部）を覆う。第一口金５１及び第二口金５２は、例えば、Ｇ１３口金等である。第一口金５１は、第一受電端子４１を有し、第二口金５２は、第二受電端子４２を有する。
【００１９】
第一受電端子４１及び第二受電端子４２のそれぞれは、導電性を有する１組の棒状金属材料によって形成される。第一受電端子４１及び第二受電端子４２は、光源装置１０の外部から交流電力を受ける。
【００２０】
第一受電端子４１は、本体部１１０に設けられたソケット１２０に装着されることによって、発光装置２０を発光させるための交流電力を本体部１１０から受電する。第二受電端子４２についても同様である。第一受電端子４１は、例えば正極端子であり、第二受電端子４２は、例えば負極端子である。なお、第一受電端子４１及び第二受電端子４２が受電する交流電力は、電力系統から供給される交流電力と同様に、例えば、周波数が５０Ｈｚまたは６０Ｈｚの正弦波交流電力である。
【００２１】
このように、光源装置１０は、両側給電方式であるが、片側給電方式であってもよい。片側給電方式の口金としては、日本電球工業会によって規格化されたＪＥＬ８０１に準拠したＬ形口金が例示される。また、片側給電方式のＧ１３口金であってもよい。この場合、第一受電端子４１及び第二受電端子４２の一方は、アースピンまたはアース機能を有しない取り付け用ピンとなる。
【００２２】
次に、発光装置２０について説明する。発光装置２０は、表面実装（ＳＭＤ：Ｓｕｒｆａｃｅ Ｍｏｕｎｔ Ｄｅｖｉｃｅ）型の発光モジュールである。発光装置２０は、カバー３０に向けて光を発する。
【００２３】
発光装置２０は、カバー３０の中空部内に配置されており、基板２１と、複数の光源２２とを備えている。基板２１は、少なくとも一方の主面が絶縁性の材料により構成されており、この主面に対して複数の光源２２が実装されている。基板２１は、Ｙ軸方向を長手方向とする長尺な矩形板状に形成されており、当該基板の長手方向に沿って複数の光源２２が配列されている。
【００２４】
基板２１としては、例えば、ガラスコンポジット基板（ＣＥＭ−３等）、ガラスエポキシ基板（ＦＲ−４等）、または、紙フェノールもしくは紙エポキシからなる基板（ＦＲ−１等）が用いられる。メタルベース基板としては、例えば、表面に絶縁膜が形成されたアルミニウム合金基板、鉄合金基板、または、銅合金基板等が用いられる。
【００２５】
基板２１の一方の主面には、複数の光源２２同士を電気的に接続する配線パターン（図示省略）が形成されている。配線パターンは、タングステン（Ｗ）または銅（Ｃｕ）等からなる金属配線である。この配線パターンに対して、第一受電端子４１及び第二受電端子４２のそれぞれが電気的に接続されている。
【００２６】
基板２１には、ブリッジダイオード、ヒューズなどが実装されていてもよい。ブリッジダイオードは、第一受電端子４１及び第二受電端子４２から配線パターンに供給される交流電力を整流化するためのダイオードである。ヒューズは、基板２１上の回路に過電流が流れた場合に、回路を開放することによって保護する保護素子である。このブリッジダイオード及びヒューズなどの回路部品は必須でない。また、上記の回路部品以外に、基板２１上には、抵抗などが配置されてもよい。
【００２７】
光源２２は、ＬＥＤチップと蛍光体とがパッケージ化された、いわゆるＳＭＤ型の発光素子であり、例えば、白色光を発する。光源２２は、パッケージと、ＬＥＤと、封止部材とを備えている。パッケージは、非透光性樹脂（白樹脂等）で成型された容器であり、逆円錐台形状の凹部（キャビティ）を備える。凹部の内側面は傾斜面であり、ＬＥＤが発する光を上方に反射する。
【００２８】
ＬＥＤは、単色の可視光を発するベアチップであり、ダイアタッチ材（ダイボンド材）によってパッケージの凹部の底面にダイボンディング実装されている。ＬＥＤとしては、例えば青色光を発光する青色発光ＬＥＤチップを用いることができる。青色発光ＬＥＤチップとしては、例えばＩｎＧａＮ系の材料によって構成された、中心波長が４４０ｎｍ以上４７０ｎｍ以下の窒化ガリウム系の半導体発光素子を用いることができる。
【００２９】
封止部材は、波長変換材である蛍光体を含む蛍光体含有樹脂であって、ＬＥＤが発する光を波長変換し、かつ、ＬＥＤを封止してＬＥＤを保護する。封止部材は、パッケージの凹部に充填されており、当該凹部の開口面まで封入されている。封止部材は、例えば、透明のシリコーン樹脂を基材として当該基材にＹＡＧ（イットリウム・アルミニウム・ガーネット）系の黄色蛍光体粒子を分散配置させることによって形成される。この場合、黄色蛍光体粒子はＬＥＤが発する青色光によって励起されて黄色光を発するので、封止部材からは、励起された黄色光とＬＥＤが発する青色光とが混合することによって白色光が発せられる。なお、封止部材は、シリカ等の光拡散材をさらに含有していてもよい。
【００３０】
図３に示すように、調整部６０は、第一口金５１に対して一体的に設けられている。なお、調整部６０は、第二口金５２に対しても一体的に設けられているが、第一口金５１側の調整部６０と同じ構成であるので、その説明は省略する。
【００３１】
調整部６０は、基板２１をカバー３０に対して接離自在とし、光源２２とカバー３０の内面とがなす間隔を調整するための機構である。具体的には、調整部６０は、基板２１を支持する３組の支持梁６１、６２、６３を有している。各組の支持梁６１、６２、６３は、第一口金５１とともに絶縁性の樹脂により一体成型されている。一つの組には、左右一対の支持梁６１、６２、６３が設けられている。左右の一対の支持梁６１、６２、６３は、上面同士が同じ高さの平面で面一であり、下面同士も同じ高さの平面で面一である。各組の支持梁６１、６２、６３は、所定の間隔をあけて上下方向（Ｚ軸方向）に配列されている。３組の支持梁６１、６２、６３のうち、一組の支持梁に対して発光装置２０が設置される。いずれの組の支持梁６１、６２、６３が選択されるかは、組立時（設営時）に作業者によって決定される。例えば、図３では、最も上方に位置する組の支持梁６１の上面に対して発光装置２０が設置されている場合を図示している。一対の支持梁６１には、基板２１の両端部が支持されており、この支持梁６３に対して基板２１が接着剤などにより固定されている。
【００３２】
図３における破線Ｌ１は、最も上方に位置する組の支持梁６１の上面に対して発光装置２０が設置された場合の光源２２の配光曲線を模式的に示している。以降、この位置を第一の位置と称す。第一の位置では、光源２２とカバー３０の内面とは間隔Ｓ１で離れている。この間隔は、光源２２の表面から、当該光源２２の光軸Ｏがカバー３０の内面に交差するまでの長さである。光源２２が発した光は、カバー３０を透過して外部へ放出されるが、第一の位置では、光源２２からの光は幅Ｒ１でカバー３０の内面に入射する。このため、光源装置１０の全体的な配光は、カバー３０に対して入射した幅Ｒ１の光を起因とした配光曲線となる。
【００３３】
図３における破線Ｌ２は、中段に位置する組の支持梁６２の上面に対して発光装置２０（一点鎖線で図示）が設置された場合の光源２２の配光曲線を模式的に示している。以降、この位置を第二の位置と称す。第二の位置では、光源２２とカバー３０の内面とは、間隔Ｓ１よりも小さい間隔Ｓ２で離れている。第二の位置では、間隔Ｓ１よりも小さい間隔Ｓ２であるため、光源２２からの光は、幅Ｒ１よりも小さい幅Ｒ２でカバー３０の内面に入射する。このため、光源装置１０の全体的な配光は、カバー３０に対して入射した幅Ｒ２の光を起因とした配光曲線となる。つまり、第二の位置に発光装置２０が設置された場合の光源装置１０の全体的な配光は、第一の位置に発光装置２０が設置された場合とは異なることになる。
【００３４】
図３における破線Ｌ３は、最も下方に位置する組の支持梁６３の上面に対して発光装置２０（二点鎖線で図示）が設置された場合の光源２２の配光曲線を模式的に示している。以降、この位置を第三の位置と称す。第三の位置では、光源２２とカバー３０の内面とは、間隔Ｓ２よりも小さい間隔Ｓ３で離れている。第三の位置では、間隔Ｓ２よりも小さい間隔Ｓ３であるため、光源２２からの光は、幅Ｒ２よりも小さい幅Ｒ３でカバー３０の内面に入射する。このため、光源装置１０の全体的な配光は、カバー３０に対して入射した幅Ｒ３の光を起因とした配光曲線となる。つまり、第三の位置に発光装置２０が設置された場合の光源装置１０の全体的な配光は、第一の位置に発光装置２０が設置された場合や、第二の位置に発光装置２０が設置された場合とは異なることになる。
【００３５】
このように、３組の支持梁６１、６２、６３のうち、一組の支持梁を選択し、当該組の支持梁に対して発光装置２０を設置すれば、光源装置１０の全体的な配光を制御することができる。
【００３６】
以上のように、本実施の形態に係る照明器具１００は、長尺状の基板２１と、基板２１の長手方向に沿って基板２１に実装された複数の光源２２と、基板２１に対向し、複数の光源２２から発せられた光を透過する長尺状のカバー３０と、基板２１及びカバー３０の一方を他方に対して接離自在とし、光源２２とカバー３０の内面とがなす、光源２２の光軸に沿う間隔Ｓ１、Ｓ２、Ｓ３を調整するための調整部６０とを備えている。
【００３７】
これによれば、光源２２とカバー３０の内面とがなす、光源２２の光軸に沿う間隔Ｓ１、Ｓ２、Ｓ３を調整部６０によって調整することができるので、光源２２からの光がカバー３０に入射する際の幅Ｒ１、Ｒ２、Ｒ３を変更することができる。したがって、拡散性或いは集光性の異なる複数種類のカバーを用いなくとも、光源装置１０の全体的な配光を制御することができる。つまり、単一のカバー３０であっても配光を制御することができる照明器具１００を提供することができる。
【００３８】
また、いずれの位置においても、カバー３０に対する複数の光源２２の姿勢は一定である。つまり、いずれの位置においても、複数の光源２２の光軸は同方向となる。このように調整部６０は、複数の光源２２の姿勢を維持したまま、間隔Ｓ１、Ｓ２、Ｓ３を調整可能であるので、複数の光源２２の光軸を安定させた状態で、配光を制御することが可能である。
【００３９】
また、カバー３０は、円筒状であり、当該カバー３０の両端部のそれぞれに口金（第一口金５１及び第二口金５２）が取り付けられており、基板２１及び複数の光源２２は、カバー３０の中空部内に配置されている。
【００４０】
これによれば、円筒状のカバー３０の中空部分に基板２１及び複数の光源２２が配置された直管ＬＥＤランプであっても、単一のカバー３０で配光を制御することができる。
【００４１】
また、調整部６０は、口金（第一口金５１及び第二口金５２）に設けられている。
【００４２】
例えば、調整部がカバーに設けられている場合を想定すると、光源からカバーまでの光路上に調整部が配置されてしまい、光を遮って光量が部分的に低下してしまうおそれがある。本実施の形態では、調整部６０が口金に設けられているので、光源２２からカバー３０までの光路上に調整部６０が配置されにくくなり、光量の低下を抑制することができる。
【００４３】
また、調整部６０は、基板２１を支持するための複数の支持梁６１、６２、６３であって、光源２２の光軸に沿って所定の間隔をあけて配列された複数の支持梁６１、６２、６３を備えている。
【００４４】
これによれば、構造的に簡単な複数の支持梁６１、６２、６３によって、光源２２とカバー３０の内面とがなす、光源２２の光軸に沿う間隔Ｓ１、Ｓ２、Ｓ３を調整することができる。したがって、照明器具１００自体の構造の複雑化を抑制することができる。
【００４５】
なお、本実施の形態では、３組の支持梁６１、６２、６３によって、光源２２とカバー３０の内面とがなす間隔を三段階で調整可能である場合を例示した。しかしながら、支持梁の設置組数は二組であっても四組以上であってもよい。
【００４６】
［実施の形態１の変形例］
この実施の形態１の変形例では、調整部の他の例について説明する。なお、以降の説明において上記実施の形態と同一の部分については同一の符号を付してその説明を省略する場合がある。
【００４７】
図４は、実施の形態１の変形例に係る調整部７０の概略構成を示す斜視図である。なお、図４では、第一口金５１に対して設けられた調整部７０を示しているが、第二口金５２に対しても同様の調整部７０が設けられているものとする。
【００４８】
調整部７０は、一対の支持台７１と、規制部７２とを備えている。一対の支持台７１は、それぞれ矩形板状の台座であり、第一口金５１の内部に配置されている。一対の支持台７１は、その一方の主面（上面）で基板２１を支持している。一対の支持台７１は、光源２２の光軸（Ｚ軸方向）に沿う位置が変動自在となっている。具体的には、一対の支持台７１は、規制部７２に連結されたリンク機構を有しており、規制部７２が作業者によってＺ軸方向に往復動作されると、リンク機構も連動し一対の支持台７１が昇降する（図４中、矢印Ｙ１参照）。このように、支持台７１がＺ軸方向に変動自在となっているため、基板２１上の光源２２と、カバー３０の内面とがなす、光源２２の光軸に沿う間隔を調整することができる。
【００４９】
規制部７２は、リンク機構を動作させるためのレバーである。規制部７２は、Ｚ軸方向に往復動作自在に、第一口金５１の端面に設けられている。規制部７２がユーザによって操作されると、リンク機構も動作して、一対の支持台７１の位置を調整することができる。また、規制部７２は、ユーザによって操作されない状態では、当該位置で固定される構造を有している。つまり、規制部７２が固定されている状態では、リンク機構も動作しないために、一対の支持台７１の変動も規制された状態となる。これにより、一対の支持台７１に支持された基板２１の位置を固定することができる。
【００５０】
このように、調整部７０は、基板２１を支持し、光源２２の光軸に沿う位置が変動自在な支持台７１と、支持台７１の変動を規制する規制部７２とを備えている。
【００５１】
これによれば、支持台７１は、光源２２の光軸に沿う位置が変動自在であるので、当該支持台７１が支持する基板２１を取り外さなくとも、当該基板２１の光軸に沿う位置を調整することができる。これにより、配光の制御に対する作業性を高めることができる。
【００５２】
また、規制部７２が支持台７１の変動を規制しているので、配光の制御後においても、基板２１の位置が変動し配光が乱れることも抑制することができる。
【００５３】
なお、第一口金５１側の規制部７２と、第二口金５２側の規制部７２とは連動していてもよい。
【００５４】
また、実施の形態１及びその変形例では調整部６０、７０が口金に設けられている場合を例示したが、調整部はその他の箇所に設けられていてもよい。
【００５５】
［実施の形態２］
実施の形態１では、カバー３０が円筒状であり、その中空部分に基板２１及び複数の光源２２が配置されている照明器具１００を例示して説明した。この実施の形態２では、開放型のカバーに対して、複数の光源が実装された基板が対向配置されている照明器具について説明する。
【００５６】
図５は、実施の形態２に係る照明器具２００の概略構成を示す斜視図である。図６は、実施の形態２に係る照明器具２００の分解斜視図である。図７は、実施の形態２に係る照明器具２００の断面図である。
【００５７】
図５〜図７に示すように、照明器具２００は、器具本体２０２と、光源ユニット２０３とを備える。
【００５８】
器具本体２０２は、図示しない吊ボルトによって天井に取り付けられ、光源ユニット２０３を着脱自在に保持する構造体である。具体的には、器具本体２０２は、板金に曲げ加工を施すことで長尺の扁平な箱状に形成されている。器具本体２０２における天井とは反対側には、光源ユニット２０３を収容するための矩形の収容凹部２２１が器具本体２０２の全長にわたって設けられている。また、器具本体２０２の長手方向における両端部には、エンドキャップ２０４がそれぞれ取り付けられている。
【００５９】
光源ユニット２０３は、図６及び図７に示すように、複数（図６では２個）のＬＥＤ基板２３２と、取付部材２３３と、カバー２３４とを備える。
【００６０】
ＬＥＤ基板２３２は、長尺な矩形板状に形成された基板３２１を備え、基板３２１の下面には複数の光源３２２が長手方向に沿って実装されている。光源３２２は、白色ＬＥＤ（Ｌｉｇｈｔ  Ｅｍｉｔｔｉｎｇ  Ｄｉｏｄｅ）である。白色ＬＥＤは、異なる二つの波長域に発光ピーク強度を有し、うち一つの発光ピーク強度が５００ｎｍ以下の波長域にある白色ＬＥＤである。
【００６１】
また、各ＬＥＤ基板２３２において隣接するＬＥＤ基板２３２に対向する端部には、電源供給用のコネクタ（図示省略）がそれぞれ実装されている。各ＬＥＤ基板２３２のコネクタ同士は電気的に接続されている。これにより、１つのＬＥＤ基板２３２に対して、図示しない電源装置を電気的に接続すれば、各ＬＥＤ基板２３２に電力を供給することができる。
【００６２】
取付部材２３３は、ＬＥＤ基板２３２が取り付けられる長尺な板金部材である。具体的には、取付部材２３３は、板金に曲げ加工を施すことで、Ｙ軸方向視で中央部分が凹んだ形状に形成されている。取付部材２３３の凹部３３１には、その一部を切り起こすことで形成された係止爪３３４が備えられており、この係止爪３３４によってＬＥＤ基板２３２が取付部材２３３に固定されている。取付部材２３３における凹部３３１を挟む両端部は、カバー２３４によって支持されている。
【００６３】
カバー２３４は、光源３２２を覆うように器具本体２０２に取り付けられる長尺な開放型の透光性カバーである。カバー２３４は、透過部２３５と、調整部２３６とを一体的に備えている。カバー２３４は、全長にわたって概ね同じ断面形状となっている。
【００６４】
透過部２３５は、光源３２２を覆って、当該光源３２２から発せられた光を透過する部分である。透過部２３５は、ＬＥＤ基板２３２側が開口する長尺状に形成され、幅方向において両端から中央に行くほど外方への突出量が大きくなる凸レンズ形状となっている。
【００６５】
調整部２３６は、一対の壁部２３７と、複数組の支持梁２３８、２３９、２４０とを備えている。一対の壁部２３７は、透過部２３５の光源３２２側の面（内面）から器具本体２０２側に向けて突出している。一対の壁部２３７における互いの対向面には、複数組の支持梁２３８、２３９、２４０が設けられている。
【００６６】
一つの組には、左右一対の支持梁２３８、２３９、２４０が設けられている。左右の一対の支持梁２３８、２３９、２４０は、上面同士が同じ高さの平面で面一であり、下面同士も同じ高さの平面で面一である。各組の支持梁２３８、２３９、２４０は、所定の間隔をあけて上下方向（Ｚ軸方向）に配列されている。３組の支持梁２３８、２３９、２４０のうち、一組の支持梁に対してＬＥＤ基板２３２が設置される。いずれの組の支持梁２３８、２３９、２４０が選択されるかは、組立時（設営時）に作業者によって決定される。例えば、図７では、最も上方に位置する組の支持梁２３８の上面に対して取付部材２３３が設置されている場合を図示している。一対の支持梁２３８には、取付部材２３３の両端部が支持されており、この支持梁２３８に対して取付部材２３３が接着剤などにより固定されている。これによりＬＥＤ基板２３２の位置も固定される。
【００６７】
カバー２３４と取付部材２３３とは組み付けられた状態で、器具本体２０２の収容凹部２２１に取り付けられている。具体的には、カバー２３４の調整部２３６と、取付部材２３３及びＬＥＤ基板２３２とが、器具本体２０２の収容凹部２２１内に配置されることになり、取付部材２３３上の複数の光源３２２が器具本体２０２の下方を向く。この状態ではカバー２３４の透過部２３５が、収容凹部２２１の開口を覆うとともに、複数の光源３２２の下方を覆うことになる。また、カバー２３４の透過部２３５は、基板３２１に対して対向配置されている。器具本体２０２に対して、カバー２３４と、取付部材２３３とが取り付けられると、器具本体２０２の長手方向における両端部に、エンドキャップ２０４がそれぞれ取り付けられることで、器具本体２０２とカバー２３４と取付部材２３３とが固定され、照明器具２００が組み立てられる。なお、器具本体２０２とカバー２３４とは例えば引っ掛けバネなどの固定具で固定されていてもよい。
【００６８】
ここで、図７における破線Ｌ１１は、最も上方に位置する組の支持梁２３８の上面に対して取付部材２３３が設置された場合の光源３２２の配光曲線を模式的に示している。以降、この位置を第一の位置と称す。第一の位置では、光源３２２とカバー２３４の内面とは間隔Ｓ１１で離れている。この間隔は、光源３２２の表面から、当該光源３２２の光軸Ｏ１がカバー２３４の内面に交差するまでの長さである。光源３２２が発した光は、カバー２３４を透過して外部へ放出されるが、第一の位置では、光源３２２からの光は幅Ｒ１１でカバー２３４の内面に入射する。このため、照明器具２００の全体的な配光は、カバー２３４に対して入射した幅Ｒ１１の光を起因とした配光曲線となる。
【００６９】
図７における破線Ｌ１２は、中段に位置する組の支持梁２３９の上面に対して取付部材２３３及びＬＥＤ基板２３２（一点鎖線で図示）が設置された場合の光源３２２の配光曲線を模式的に示している。以降、この位置を第二の位置と称す。第二の位置では、光源３２２とカバー２３４の内面とは、間隔Ｓ１１よりも小さい間隔Ｓ１２で離れている。第二の位置では、間隔Ｓ１１よりも小さい間隔Ｓ１２であるため、光源３２２からの光は、幅Ｒ１１よりも小さい幅Ｒ１２でカバー２３４の内面に入射する。このため、照明器具２００の全体的な配光は、カバー２３４に対して入射した幅Ｒ１２の光を起因とした配光曲線となる。つまり、第二の位置に取付部材２３３及びＬＥＤ基板２３２が設置された場合の照明器具２００の全体的な配光は、第一の位置に取付部材２３３及びＬＥＤ基板２３２が設置された場合とは異なることになる。
【００７０】
図７における破線Ｌ１３は、最も下方に位置する組の支持梁２４０の上面に対して取付部材２３３及びＬＥＤ基板２３２（二点鎖線で図示）が設置された場合の光源３２２の配光曲線を模式的に示している。以降、この位置を第三の位置と称す。第三の位置では、光源３２２とカバー２３４の内面とは、間隔Ｓ１２よりも小さい間隔Ｓ１３で離れている。第三の位置では、間隔Ｓ１２よりも小さい間隔Ｓ１３であるため、光源３２２からの光は、幅Ｒ１２よりも小さい幅Ｒ１３でカバー２３４の内面に入射する。このため、照明器具２００の全体的な配光は、カバー２３４に対して入射した幅Ｒ１３の光を起因とした配光曲線となる。つまり、第三の位置に取付部材２３３及びＬＥＤ基板２３２が設置された場合の照明器具２００の全体的な配光は、第一の位置に取付部材２３３及びＬＥＤ基板２３２が設置された場合や、第二の位置に取付部材２３３及びＬＥＤ基板２３２が設置された場合とは異なることになる。
【００７１】
このように、３組の支持梁２３８、２３９、２４０のうち、一組の支持梁を選択し、当該組の支持梁に対して取付部材２３３及びＬＥＤ基板２３２を設置すれば、照明器具２００の全体的な配光を制御することができる。
【００７２】
なお、ここでは、調整部２３６がカバー２３４に設けられている場合を例示したが、調整部は器具本体に対して設けられていてもよい。この場合、調整部の各支持梁は器具本体の収容凹部の側壁部に設けられることとなる。
【００７３】
［実施の形態２の変形例］
この実施の形態２の変形例では、調整部の他の例について説明する。なお、以降の説明において上記実施の形態２と同一の部分については同一の符号を付してその説明を省略する場合がある。
【００７４】
図８は、実施の形態２の変形例に係る照明器具２００ａの概略構成を示す断面図である。図８に示すように、照明器具２００ａに備わるカバー２３４ａは、透過部２３５と、一対の支持部２４５とを一体的に備えている。カバー２３４ａは、全長にわたって概ね同じ断面形状となっている。
【００７５】
一対の支持部２４５は、取付部材２３３ａを支持する部位である。具体的には、一対の支持部２４５は、それぞれ透過部２３５の左右の両端部に設けられており、透過部２３５の光源３２２側の面（内面）から器具本体２０２側に向けて突出している。各支持部２４５は、壁体２４６と、基台２４７と、係止部２４８とを備えている。壁体２４６は、透過部２３５から器具本体２０２側に突出しており、基端部に基台２４７を有し、先端部に係止部２４８を有している。基台２４７は、壁体２４６の基端部からＬＥＤ基板２３２側に向けて突出しており、その底面（上面）で取付部材２３３ａを支持している。係止部２４８は、壁体２４６の先端部からＬＥＤ基板２３２側に向けて突出している。係止部２４８は、取付部材２３３ａの被係止部２３３ｂを係止する。
【００７６】
取付部材２３３ａの凹部３３１ａには、その中央部に開口部３３５が形成されている。この開口部３３５に対して調整部２５０が組み付けられている。また、取付部材２３３ａの両端部には、当該両端部から立設した被係止部２３３ｂが設けられている。この被係止部２３３ｂが係止部２４８に係止されることにより、取付部材２３３ａがカバー２３４ａに固定される。
【００７７】
照明器具２００ａに備わる調整部２５０は、上部が開放した箱状に形成されており、その底面にＬＥＤ基板２３２が固定されている。調整部２５０の左右の外側面には、それぞれ複数組の爪部２５１、２５２、２５３が突出している。一つの組には、左右一対の爪部２５１、２５２、２５３が設けられている。左右の一対の爪部２５１、２５２、２５３は、下面同士が同じ高さの平面で面一である。各爪部２５１、２５２、２５３の側面は、下面から上方に向かうに連れて内方に傾く傾斜面となっている。
【００７８】
組立時に作業者は、調整部２５０を取付部材２３３ａの下方から開口部３３５に挿入して押し上げると、各組の爪部２５１、２５２、２５３の傾斜面では、当該爪部２５１、２５２、２５３の弾性変形を促しながらスムーズに開口部３３５を通過する。傾斜面の通過後においては、各組の爪部２５１、２５２、２５３が弾性復帰するため、当該爪部２５１、２５２、２５３の下面が開口部３３５の周縁部の上面に係止される。これにより、調整部２５０が所定の位置で規制されるので、ＬＥＤ基板２３２の位置も固定される。
【００７９】
このように、いずれかの組の爪部２５１、２５２、２５３を規制するかを選択することによって、ＬＥＤ基板２３２に実装された複数の光源３２２と、カバー２３４ａの内面とがなす間隔を調整することができる。したがって、３組の爪部２５１、２５２、２５３のうち、一組の爪部を選択し、当該組の爪部を開口部３３５の周縁部に規制させれば、照明器具２００ａの全体的な配光を制御することができる。
【００８０】
なお、本実施の形態では、３組の爪部２５１、２５２、２５３によって、光源３２２とカバー２３４ａの内面とがなす間隔を三段階で調整可能である場合を例示した。しかしながら、爪部の設置組数は二組であっても四組以上であってもよい。
【００８１】
また、照明器具２００ａを建物に施工する際においても、上述した組立時と同様の手順で、ＬＥＤ基板２３２に実装された複数の光源３２２と、カバー２３４ａの内面とがなす間隔を調整することができる。
【００８２】
［その他］
以上、本発明に係る照明器具について、上記実施の形態及び各変形例に基づいて説明したが、本発明は、上記の実施の形態及び各変形例に限定されるものではない。
【００８３】
例えば、上記実施の形態では、カバー３０、２３４に対して基板２１、３２１を接離自在とする調整部６０、２３６を例示した。しかし、調整部は、基板に対してカバーを接離自在とすることで、光源とカバーの内面とがなす、光源の光軸に沿う間隔を調整するための調整部であってもよい。
【００８４】
また、上記実施の形態では、左右一対の支持梁によって基板または取付部材が支持される場合を例示したが、基板または取付部材の長手方向における端部を支持する場合には、一つの支持梁であっても支持することが可能である。
【００８５】
その他、実施の形態に対して当業者が思いつく各種変形を施して得られる形態や、本発明の趣旨を逸脱しない範囲で、実施の形態及び変形例１〜３における構成要素及び機能を任意に組み合わせることで実現される形態も本発明に含まれる。
【符号の説明】
【００８６】
２１、３２１  基板
２２、３２２  光源
３０、２３４、２３４ａ  カバー
５１  第一口金（口金）
５２  第二口金（口金）
６０、７０、２３６、２５０  調整部
６１、６２、６３、２３８、２３９、２４０  支持梁
７１  支持台
７２  規制部
１００、２００、２００ａ  照明器具
Ｏ、Ｏ１  光軸
Ｓ１、Ｓ２、Ｓ３、Ｓ１１、Ｓ１２、Ｓ１３  間隔
【図１】
2020068138.tif 000003
【図２】
2020068138.tif 000004
【図３】
2020068138.tif 000005
【図４】
2020068138.tif 000006
【図５】
2020068138.tif 000007
【図６】
2020068138.tif 000008
【図７】
2020068138.tif 000009
【図８】
2020068138.tif 000010